(57)【要約】【課題】ベッド等の寝具に容易且つ迅速に設置して個室を形成し、且つ緊急脱出し得る簡易個室形成シャッター付き寝具補助装置を提供する。【解決手段】既存の寝具に合わせて調整可能に組立てられたフレーム梁１，１の外側に支持フレーム梁２，２を取付け、該支持フレーム梁の長手方向両端部に壁板４，４を立設して、両端部の壁板４と壁板４の間の空間をガイドレール６，６でガイドされたシャッター７で開閉自在に閉じて個室が形成され、閉じた状態が係止保持されるように構成し、係止保持するための係止具８は、外部の異常事態を検知して係止状態を解除すると同時に個室内に警報音を発するようにした簡易個室形成シャッター付き寝具補助装置。【選択図】図１
0003120474.tif 000002
【実用新案登録請求の範囲】
【請求項１】
既存の寝具に合わせて調整可能に組立てられたフレーム梁の外側に、支持フレーム梁を取付け、該支持フレーム梁の長手方向両端部に壁板を立設して、両端部の壁板と壁板の間の空間をガイドレールでガイドされたシャッターで開閉自在に閉じて個室が形成され、係止保持されるように構成されてなることを特徴とする簡易個室形成シャッター付き寝具補助装置。
【請求項２】
既存の寝具に合わせて調整可能に組立てられるフレーム梁が、端部に既存の寝具の手摺又は支持板を着脱可能に取付けられるようにした四角棒材の中間位置で、左ねじ、右ねじを有する接続ボルトを螺合して接続されると共に、支持フレーム梁を取付けるねじ穴が設けられてなることを特徴とする請求項１記載の簡易個室形成シャッター付き寝具補助装置。
【請求項３】
個室を形成するシャッターをジャバラ状にして伸縮自在に形成し、該シャッターの片側を壁板の片板面に止着し、別側をガイドレールに移動可能にガイドさせて開閉自在に閉じるように構成されてなることを特徴とする請求項１又は請求項２記載の簡易個室形成シャッター付き寝具補助装置。
【請求項４】
シャッターを移動可能にガイドするガイドレールが、支持フレーム梁の長手方向に並設され、移動するシャッターの下端部がガイドレールにガイドされる構成にしてなることを特徴とする請求項１乃至請求項３のいずれか１項に記載の簡易個室形成シャッター付き寝具補助装置。
【請求項５】
シャッターを移動可能にガイドするガイドレールが、半円弧状に形成された壁板の円弧面上に並設され、移動するシャッターの前端部がガイドレールにガイドされる構成にしてなることを特徴とする請求項１乃至請求項３のいずれか１項に記載の簡易個室形成シャッター付き寝具補助装置。
【請求項６】
シャッターを閉じる側の壁板若しくは支持フレーム梁に係止具を設け、該係止具によりシャッターの前端部を着脱可能に係止して、閉じた状態が保持される構成にしてなることを特徴とする請求項１乃至請求項５のいずれか１項に記載の簡易個室形成シャッター付き寝具補助装置。
【請求項７】
係止具が、外部の異常検知信号により作動して係止状態が解除されると共に、シャッターを閉じた個室内に警報音を発するように構成されたものであることを特徴とする請求項６記載の簡易個室形成シャッター付き寝具補助装置。
【考案の詳細な説明】
【技術分野】
【０００１】
本考案は、ベッド等の寝具に容易且つ迅速に設置して個室が形成されるようにすると共に、緊急脱出に配慮した簡易個室形成シャッター付き寝具補助装置に関する。
【背景技術】
【０００２】
天災による避難施設や病気入院の療養施設等の同一部屋で不特定多数の人が居住する場所、及び受験生が同居する場所においては、プライバシーの問題や周囲の雑音、周囲への気配りから安眠できないといった問題がある。
【０００３】
又、花粉や埃、ダニといったハウスダスト等の空気中のアレルゲン物質を排除し、安眠しやすい環境を提供することを目的とした安眠装置（特許文献１参照）や、組立てが簡単で建築物の床上に容易に設置することができ、且つ外方の環境と隔絶することのできる簡易組立式個人用休憩室（特許文献２参照）、布団や毛布などの寝具を四季を通じて不要とし、且つ快適な温度や湿度のもとで熟睡できるようにしたカプセル付ベッド（特許文献３参照）等が開示され、公知となっている。
【０００４】
【特許文献１】特開２００１−２７２０７０号公報
【特許文献２】特開平１１−３６６３３号公報
【特許文献３】実開平５−３４９６２号公報
【考案の開示】
【考案が解決しようとする課題】
【０００５】
しかしながら、上記特許文献１に記載される安眠装置や、特許文献３に記載されるカプセル付ベッドは、花粉や埃、ダニといったハウスダスト等の空気中のアレルゲン物質を排除した浄化空間や、快適な温度や湿度の空調空間をつくり出すことを主体としており、特許文献２に記載される簡易組立式個人用休憩室は、板状部材を所定の形状に成形した複数の外壁構成部材により構成されていて、既存の寝具等に容易に設置できるような構成でないこと、及び外部と隔絶した個室では、外部の異常事態が伝わりにくく、外部で火災などの異常事態が発生した場合に、緊急脱出ができないなどの問題がある。
本考案は、これらの問題に鑑みてなされた簡易個室形成シャッター付き寝具補助装置を提供することを目的とし、該目的を達成することを課題とするものである。
【課題を解決するための手段】
【０００６】
上記目的を達成するために、本考案は以下に記載するような手段を講じてなる簡易個室形成シャッター付き寝具補助装置とするものである。
すなわち、
（１）既存の寝具に合わせて調整可能に組立てられたフレーム梁の外側に、支持フレーム梁を取付け、該支持フレーム梁の長手方向両端部に壁板を立設して、両端部の壁板と壁板の間の空間をガイドレールでガイドされたシャッターで開閉自在に閉じて個室が形成され、係止保持されるように構成されてなることを特徴とする簡易個室形成シャッター付き寝具補助装置。
（２）既存の寝具に合わせて調整可能に組立てられるフレーム梁が、端部に既存の寝具の手摺又は支持板を着脱可能に取付けられるようにした四角棒材の中間位置で、左ねじ、右ねじを有する接続ボルトを螺合して接続されると共に、支持フレーム梁を取付けるねじ穴が設けられてなることを特徴とする前項（１）記載の簡易個室形成シャッター付き寝具補助装置。
（３）個室を形成するシャッターをジャバラ状にして伸縮自在に形成し、該シャッターの片側を壁板の片板面に止着し、別側をガイドレールに移動可能にガイドさせて開閉自在に閉じるように構成されてなることを特徴とする前項（１）又は（２）記載の簡易個室形成シャッター付き寝具補助装置。
（４）シャッターを移動可能にガイドするガイドレールが、支持フレーム梁の長手方向に並設され、移動するシャッターの下端部がガイドレールにガイドされる構成にしてなることを特徴とする前項（１）〜（３）のいずれか１項に記載の簡易個室形成シャッター付き寝具補助装置。
（５）シャッターを移動可能にガイドするガイドレールが、半円弧状に形成された壁板の円弧面上に並設され、移動するシャッターの前端部がガイドレールにガイドされる構成にしてなることを特徴とする前項（１）〜（３）のいずれか１項に記載の簡易個室形成シャッター付き寝具補助装置。
（６）シャッターを閉じる側の壁板若しくは支持フレーム梁に係止具を設け、該係止具によりシャッターの前端部を着脱可能に係止して、閉じた状態が保持される構成にしてなることを特徴とする前項（１）〜（５）のいずれか１項に記載の簡易個室形成シャッター付き寝具補助装置。
（７）係止具が、外部の異常検知信号により作動して係止状態が解除されると共に、シャッターを閉じた個室内に警報音を発するように構成されたものであることを特徴とする前項（６）記載の簡易個室形成シャッター付き寝具補助装置。
【考案の効果】
【０００７】
上記手段にて記載する如く、本考案は既存の寝具に合わせて組立てられたフレーム梁の外側に支持フレーム梁を取付け、該支持フレーム梁の長手方向両端部に壁板を立設して、両端部の壁板と壁板の空間をガイドレールでガイドされたシャッターで開閉自在に閉じて個室が形成され、係止保持されるように構成されたものであるから、ベッド等の既存の寝具に容易且つ迅速に設置できて、プライベートな個室を形成することができると共に、使用しない時は撤去して元の状態の寝具に戻すのが容易である。
【０００８】
又、シャッターを閉じる側の壁板若しくは支持フレーム梁に係止具を設け、該係止具によりシャッターの前端部を着脱可能に係止して閉じた状態が保持される構成にし、前記係止具を外部の異常検知信号により作動させて係止状態を解除させると共に、シャッターが閉じられた個室内に警報音を発するようにすれば、外部と完全に隔絶された個室が形成されると共に、個室で熟睡していても火災などの異常事態が発生した場合の緊急脱出が可能となる。
【０００９】
更に高度な機能やシステムを必要とせず、分解可能な部品により構成されるから、安価に製作できると共に、解体後の収納・保管に要するスペースが少なくて済む。
【考案を実施するための最良の形態】
【００１０】
本考案を実施するための最良の形態は、既存の寝具に合わせて調整可能に組立てられたフレーム梁の外側に支持フレーム梁を取付け、該支持フレーム梁の長手方向両端部に壁板を立設して、両端部の壁板と壁板の間の空間をガイドレールでガイドされたシャッターで開閉自在に閉じて個室が形成され、係止保持されるように構成されたものであり、以下実施例にて図面を参照して詳細に説明する。
【実施例１】
【００１１】
図１は、本考案に係る実施例１を示す斜視図であり、図２はその内部を示す断面図である。図示するように、既存の寝具に合わせて調整可能に組立てられたフレーム梁１，１の外側に支持フレーム梁２，２を取付金具３，３，…により取付け、該支持フレーム梁２，２の長手方向両端部に壁板４，４をボルト５，５，…により取付けて立設してあり、両端部の壁板４，４の間の空間を、支持フレーム梁２，２の長手方向に並設されたガイドレール６，６により移動する下端部がガイドされたシャッター７で開閉自在に閉じて個室Ｓが形成され、係止具８にて係止保持されるように構成されている。
【００１２】
フレーム梁１，１は、図３に示すように四角棒材の中間位置で左ねじと右ねじを有する接続ボルト９，９を螺合させて接続され、該接続ボルトを左右に回すことにより伸縮させ、ベッド等の寝具１０の長さに合わせて調整できるようにしてあり、寝具１０の手摺１０ａ，１０ａを、フレーム梁１，１の端部の押え板１ａ，１ａ，…で押え付けて着脱できるように取付けると共に、寝具１０の支持板１０ｂを取付けて既存の寝具幅に合わせるようにしてある。
【００１３】
又、フレーム梁１，１の上面には、前記支持フレーム梁２，２を取付金具３，３，…により取付けるためのねじ穴１ｂ，１ｂ，…があけられ、フレーム梁１，１の外側に図２にて示すようにコ字状の支持フレーム梁２，２が背合わせするようにして取付金具３，３，…により取付けられており、支持フレーム梁２，２のコ字状凹内を長手方向にガイドレール６，６が左右平行にして並設されている。
【００１４】
個室を形成するシャッター７は、ジャバラ状にして伸縮自在に形成され、該シャッターの片側（後方側）は縁板１１を介して後方の壁板４の縁面に止着され、別側（前方側）は縁板１２に止着されて、縁板１２の下端部に設けられたブシュ１３，１３とガイドレール６，６の嵌合によりスムーズにガイドされて移動（開閉）できるようにしてあり、シャッター７を手動で外から開閉するための取手１４，１４と、内（個室Ｓ内）から開閉するための取手１４ａ，１４ａが縁板１２に設けてある。
【００１５】
前記ガイドレール６，６とブシュ１３，１３の嵌合は、例えば鋼球を介在させたリニアモーションベアリング（市販品）を使用して嵌合させると軽くてスムーズに移動させるのに好ましい。又、ガイドレール６，６とブシュ１３，１３とを鋼球を介在させたスクリュー軸と軸受（市販品）の嵌合にして、ガイドレール６，６の一端を壁板４の外側へ突き出し、突き出したガイドレール６，６の一端に、例えば図４に示すように鎖車１５，１５を取付け、壁板４にモーター１６を取付けて、モーター１６の回転軸に取付けられた鎖車１５ａとをチェーン１７で繋げば、モーター１６の正転、逆転駆動により自動的に前記シャッター７を開閉自在に移動させることもできる。この場合、モーター１６及びチェーン１３の駆動部はカバー１８で被覆するものとする。
【００１６】
シャッター７を閉じた状態で保持する係止具８は、前方端に立設された壁板４に取付けられ、移動するシャッター７の縁板１２に凸設された凸起部材８Ａをチャックアーム８ａ，８ｂでチャッキングすることにより係止するようにしてあり、通常はチャックアーム８ａ，８ｂがソレノイド１９によりプッシュされて開いた状態にあり、前記縁板１２を前方へ移動させて閉じると、前記壁板４に取付けられたリミットスイッチ２０がスイッチングされてソレノイド１９のプッシュが引込み、同時にバネ２１の引張りによりチャックアーム８ａ，８ｂが閉じ、縁板１２に凸設された凸起部材８Ａをチャッキングして図５に示す係止状態となる。チャックアーム８ａ，８ｂは、バネ２１の引張りによりチャッキングしているので、バネ２１の引張りに抗して強制的に係止状態を解除することはできる。
【００１７】
前記係止具８のチャックアーム８ａ，８ｂでシャッター７の縁板１２に凸設された凸起部材８Ａをチャッキングして係止した状態で、壁板４と縁板１２との隙間をなくして気密を保持すべく縁板１２の前面にはスポンジ状のパッキン１２Ａが貼設してある。密閉された個室内は、空気清浄機や換気扇、及び電灯等（図示せず）は必要に応じて適宜配備するものとする。
【００１８】
又、シャッター７の開閉は、取手１４，１４ａ，…により室外、室内からもできるが、手動で強制的に係止状態を解除するには、それ相当の力を要し、特に高齢者や病弱な人にとっては、負担が大きいことから個室内には押釦スイッチ（図示せず）を備え、該押釦スイッチにより前記係止具８に設けられたソレノイド１９を作動させれば係止状態が解除でき、係止状態が解除されると、シャッター７はジャバラ状に形成されて引張られた状態で閉じられているから元の状態に縮もうとする力が働いてシャッターは自然に多少は開くことになる。この状態になればシャッター７は手動で軽く開けられる。
なお、モーターで自動的にシャッターを開閉するようにした場合は、前記押釦スイッチにより係止状態を解除すると同時に、モーターが起動するようにすると良い。
【００１９】
更に、外部と隔絶されて密閉された個室内においては、外部の状況はわからず、特に熟睡している場合に外部で火災などの異常事態が発生した場合、例えば建物に配置された異常を検知する各種検知器の検知信号を受信し、前記係止具８のソレノイド１９を作動させて前記係止状態を解除すると共に、シャッター７を閉じた個室内に警報音を発するようにすることも可能であり、このような手段を構ずることにより個室内からの緊急脱出が可能となる。従って、個室内には警報音を発するブザー等（図示せず）を備えるものとする。
【実施例２】
【００２０】
図６は、本考案に係る実施例２を示す斜視図である。図示するように既存の寝具に合わせて調整可能に組立てられたフレーム梁１，１の外側に支持フレーム梁２Ａ，２Ａを取付金具３，３，…により取付け、該支持フレーム梁の長手方向両端部に、壁板４Ａ，４Ａを上方にガイドレール６Ａ，６Ｂ，…を設けてボルト５Ａ，５Ａ，…により取付け、立設してあり、両端部の壁板４Ａ，４Ａ間の空間を、移動する左右両サイドがガイドレール６Ａ，６Ｂ，…にガイドされたシャッター７Ａで開閉自在に閉じて個室が形成され、係止具８Ａにて係止保持されるように構成されている。
【００２１】
フレーム梁１，１は、既存の寝具に合わせて前記実施例１にて図示した図３と同様に調整可能に組立てられたものであり、フレーム梁２Ａ，２Ａはコ字状に形成されて前記フレーム梁１，１の外側に背合わせするようにして取付金具３，３，…により取付けられている。
【００２２】
壁板４Ａ，４Ａは半円弧状に形成され、その上面にガイドレール６Ａ，６Ａを取付け、一定の間隔をもたせてガイドレール６Ｂ，６Ｂが下端部の取付板６Ｃ，６Ｃで支持されていて、シャッター７Ａの片側（後方側）は縁板１１ａを介して後方の支持フレーム梁２Ａの上面に止着され、別側（前方側）は縁板１２ａに止着されて、縁板１２ａの左右両端部に設けられたガイドローラー１３Ａ，１３Ａが、前記ガイドレール６Ａ，６Ｂの間隔に嵌合ガイドされてスムーズに移動（開閉）できるようにしてあり、シャッター７Ａを手動で外から開閉するための取手１４Ａ，１４Ａと内（個室内）から開閉するための取手（図示せず）が前記縁板１２ａに設けてある。
【００２３】
前記ガイドレール６Ａ，６Ｂとガイドローラー１３Ａの嵌合は、図７に示すように、ガイドレール６Ａとガイドレール６Ｂの間に、ガイドレール６Ａ，６Ｂの径に合わせて凹溝を形成したガイドローラー１３Ａがスムーズに回転するように嵌合させて支持軸１３ａにより支持し、取付金具１３ｂを介して縁板１２ａに取付けられている。
【００２４】
シャッター７Ａを閉じた状態で保持する係止具８Ａは、前方側の支持フレーム梁２Ａに取付けられ、移動するシャッター７Ａの縁板１２ａの縁部をフックアーム８ｃで係止するようにしてあり、該フックアームは通常はソレノイド１９によりプッシュされて開いた状態にあり、前記縁板１２ａを前方へ移動させて閉じると、前記支持フレーム梁２Ａに取付けられたリミットスイッチ２０がスイッチングされてソレノイド１９のプッシュが引込み、同時にバネの引張りによりフックアーム８ｃが閉じて図８に示すように係止された状態となる。フックアーム８ｃは、バネ２１Ａの引張りにより係止しているので、バネ２１Ａの引張りに抗して強制的に係止状態を解除することは可能である。
【００２５】
前記係止具８Ａのフックアーム８ｃでシャッター７Ａの縁板１２ａの縁部を係止した状態で、支持フレーム梁２Ａとの隙間をなくして気密を保持すべく縁板１２ａの前面にはスポンジ状のパッキン１２Ｂが貼設してある。密閉された個室内は、空気清浄機や換気扇、及び電灯（図示せず）は必要に応じて適宜配備するものとする。
【００２６】
又、シャッター７Ａの開閉は、取手により室外、室内からもできるが、手動で強制的に係止状態を解除するには、それ相当の力を要し、特に高齢者や病弱な人にとっては、負担が大きいことから個室内には押釦スイッチ（図示せず）を備え、該押釦スイッチにより係止状態が解除されるようにする。
【００２７】
更に、外部と隔絶された個室内においては、外部の状況はわからず、特に熟睡している場合に外部で異常事態が発生した場合、例えば建物に配置された異常を検知する各種検知器の検知信号を受信し、前記係止具８Ａのソレノイド１９を作動させて前記係止状態を解除すると共に、シャッター７Ａを閉じた個室内に警報音を発するようにすることも実施例１と同様可能である。
【産業上の利用可能性】
【００２８】
本考案は、寝具等に設置して個室を形成するのみならず、建物のフローリング床面や屋外の平地、移動車の荷台等に直接置いて利用することも可能であり、多用途に利用できる可能性がある。
【図面の簡単な説明】
【００２９】
【図１】本考案に係る実施例１を示す斜視図である。
【図２】図１の内部を示す断面図である。
【図３】フレーム梁の組立例を示す斜視図である。
【図４】シャッターを自動的に開閉する場合の実施例を示す要部斜視図である。
【図５】実施例１における係止具の係止状態を示す要部断面図である。
【図６】本考案に係る実施例２を示す斜視図である。
【図７】図６のガイドレールによるシャッターの移動ガイド部の要部断面図である。
【図８】実施例２における係止具の係止状態を示す要部断面図である。
【符号の説明】
【００３０】
１  フレーム梁
２，２Ａ  支持フレーム梁
３，１３ｂ  取付金具
４，４Ａ  壁板
５，５Ａ  ボルト
６，６Ａ，６Ｂ  ガイドレール
６Ｃ  取付板
７，７Ａ  シャッター
８，８Ａ  係止具
８ａ，８ｂ  チャックアーム
８ｃ  フックアーム
９  接続ボルト
１０  既存の寝具
１０ａ  既存の寝具の手摺
１０ｂ  既存の寝具の支持板
１１，１１ａ，１２，１２ａ  縁板
１２Ａ，１２Ｂ  パッキン
１３  ブシュ
１３Ａ  ローラー
１３ａ  支持軸
１４，１４Ａ，１４ａ  取手
１５，１５ａ  鎖車
１６  モーター
１７  チェーン
１８  カバー
１９  ソレノイド
２０  リミットスイッチ
２１，２１Ａ  バネ
【図１】
0003120474.tif 000003
【図２】
0003120474.tif 000004
【図３】
0003120474.tif 000005
【図４】
0003120474.tif 000006
【図５】
0003120474.tif 000007
【図６】
0003120474.tif 000008
【図７】
0003120474.tif 000009
【図８】
0003120474.tif 000010